【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
エポキシ基を有する化合物とアルキル置換グルタル酸無水物を含有する樹脂組成物。
【請求項２】
エポキシ基を有する化合物が下記Ａ群、Ｂ群またはＣ群から選ばれる化合物である請求項１記載の樹脂組成物。
Ａ群：レゾルシノール、ハイドロキノン、ピロカテコール、ビスフェノールＡ、ジヒドロキシジフェニルメタン（ビスフェノールＦ）、ビスフェノールＳ、テトラブロモビスフェノールＡ、１，３−ビス（４−ヒドロキシフェニル）シクロヘキサン、４，４’−ジヒドロキシ−３，３’−ジメチルジフェニルメタン、４，４’−ジヒドロキシベンゾフェノン、トリス（４−ヒドロキシフェニル）メタン、ビス（４−ヒドロキシフェニル）エーテル、ノボラックフェノール、ノボラッククレゾール、ビス（４−ヒドロキシフェニル）スルホン、ビス（３，５−ジメチル−４−ヒドロキシフェニル）スルホン、１，６−ナフタレンジオールおよびアミノフェノール類、ならびにこれらの化合物の水素化またはハロゲン化物とエピクロロヒドリンとを反応させて得られるグリシジルエーテルからなる群
Ｂ群：一般式（１）
【化１】
2004131623.tif 000001
・・・（１）
〔式中、ｐは０〜４０の整数を表し、Ｒ１、Ｒ３、Ｒ４およびＲ６は、同一または異なってハロゲン置換もしくは非置換のフェニレン、またはハロゲン置換もしくは非置換のシクロヘキシレンを表し、Ｒ２およびＲ５は、同一または異なってメチレン、Ｃ（ＣＨ３）２、酸素原子、ＣＯ、硫黄原子またはＳＯ２を表す〕で表される化合物からなる群
Ｃ群：一般式（２）
【化２】
2004131623.tif 000002
・・・（２）
（式中、ｑは０〜４０の整数を表し、Ｒ７、Ｒ８、Ｒ９およびＲ１０は、同一または異なってハロゲン置換もしくは非置換のフェニレン、またはハロゲン置換もしくは非置換のシクロヘキシレンを表す）で表される化合物からなる群
【請求項３】
エポキシ基を有する化合物がエポキシ基を有するビニル系単量体を単独で重合させることによって得られる単独重合体、またはエポキシ基を有するビニル系単量体と共重合可能な１種以上のその他のビニル系単量体とを共重合させることによって得られる共重合体である請求項１記載の樹脂組成物。
【請求項４】
エポキシ基を有する化合物が分子中にイソシアネート基を有するビニル系共重合体を、分子内に少なくとも一個の水酸基を有するエポキシ化合物と反応させて得られる化合物である請求項１記載の樹脂組成物。
【請求項５】
アルキル置換グルタル酸無水物が２，４−ジアルキルグルタル酸無水物、３−アルキルグルタル酸無水物、または２，３−ジアルキルグルタル酸無水物である請求項１〜４のいずれかに記載の樹脂組成物。
【請求項６】
アルキル置換グルタル酸無水物が２，４−ジエチルグルタル酸無水物である請求項１〜４のいずれかに記載の樹脂組成物。
【請求項７】
アルキル置換グルタル酸無水物以外のジカルボン酸無水物を含有する請求項１〜６のいずれかに記載の樹脂組成物。
【請求項８】
アルキル置換グルタル酸無水物を含むジカルボン酸無水物の全使用量がエポキシ基を有する化合物中のエポキシ基に対して、モル比０．１〜１０である請求項１〜７のいずれかにのいずれかに記載の樹脂組成物。
【請求項９】
請求項１〜８のいずれかに記載の樹脂組成物を含有する液状封止材。
【請求項１０】
請求項１〜８のいずれかに記載の樹脂組成物を硬化して得られる硬化物。
【手続補正２】
【補正対象書類名】明細書
【補正対象項目名】０００４
【補正方法】変更
【補正の内容】
【０００４】
一方、エポキシ基を有するビニル系共重合体と分岐グルタル酸を含有する樹脂組成物に関する発明が知られている（特許文献１参照）。しかしながら、ここで開示されている樹脂組成物は、粉体塗料等の固体で取扱う用途には適しているが、液状封止材等の液状で使用される用途には適していない。
【手続補正３】
【補正対象書類名】明細書
【補正対象項目名】０００７
【補正方法】変更
【補正の内容】
【０００７】
【課題を解決するための手段】
本発明は、以下の［１］〜［１０］を提供する。
［１］  エポキシ基を有する化合物とアルキル置換グルタル酸無水物を含有する樹脂組成物。
［２］  エポキシ基を有する化合物が下記Ａ群、Ｂ群またはＣ群から選ばれる化合物である［１］記載の樹脂組成物。
Ａ群：レゾルシノール、ハイドロキノン、ピロカテコール、ビスフェノールＡ、ジヒドロキシジフェニルメタン（ビスフェノールＦ）、ビスフェノールＳ、テトラブロモビスフェノールＡ、１，３−ビス（４−ヒドロキシフェニル）シクロヘキサン、４，４’−ジヒドロキシ−３，３’−ジメチルジフェニルメタン、４，４’−ジヒドロキシベンゾフェノン、トリス（４−ヒドロキシフェニル）メタン、ビス（４−ヒドロキシフェニル）エーテル、ノボラックフェノール、ノボラッククレゾール、ビス（４−ヒドロキシフェニル）スルホン、ビス（３，５−ジメチル−４−ヒドロキシフェニル）スルホン、１，６−ナフタレンジオールおよびアミノフェノール類、ならびにこれらの化合物の水素化またはハロゲン化物とエピクロロヒドリンとを反応させて得られるグリシジルエーテルからなる群
Ｂ群：一般式（１）
【化３】
2004131623.tif 000003
・・・（１）
〔式中、ｐは０〜４０の整数を表し、Ｒ１、Ｒ３、Ｒ４およびＲ６は、同一または異なってハロゲン置換もしくは非置換のフェニレン、またはハロゲン置換もしくは非置換のシクロヘキシレンを表し、Ｒ２およびＲ５は、同一または異なってメチレン、Ｃ（ＣＨ３）２、酸素原子、ＣＯ、硫黄原子またはＳＯ２を表す〕で表される化合物からなる群
Ｃ群：一般式（２）
【化４】
2004131623.tif 000004
・・・（２）
（式中、ｑは０〜４０の整数を表し、Ｒ７、Ｒ８、Ｒ９およびＲ１０は、同一または異なってハロゲン置換もしくは非置換のフェニレン、またはハロゲン置換もしくは非置換のシクロヘキシレンを表す）で表される化合物からなる群
［３］  エポキシ基を有する化合物がエポキシ基を有するビニル系単量体を単独で重合させることによって得られる単独重合体、またはエポキシ基を有するビニル系単量体と共重合可能な１種以上のその他のビニル系単量体とを共重合させることによって得られる共重合体である［１］記載の樹脂組成物。
［４］  エポキシ基を有する化合物が分子中にイソシアネート基を有するビニル系共重合体を、分子内に少なくとも一個の水酸基を有するエポキシ化合物と反応させて得られる化合物である［１］記載の樹脂組成物。
［５］  アルキル置換グルタル酸無水物が２，４−ジアルキルグルタル酸無水物、３−アルキルグルタル酸無水物、または２，３−ジアルキルグルタル酸無水物である［１］〜［４］のいずれかに記載の樹脂組成物。
［６］  アルキル置換グルタル酸無水物が２，４−ジエチルグルタル酸無水物である［１］〜［４］のいずれかに記載の樹脂組成物。
［７］  アルキル置換グルタル酸無水物以外のジカルボン酸無水物を含有する［１］〜［６］のいずれかに記載の樹脂組成物。
［８］  アルキル置換グルタル酸無水物を含むジカルボン酸無水物の全使用量がエポキシ基を有する化合物中のエポキシ基に対して、モル比０．１〜１０である［１］〜［７］のいずれかに記載の樹脂組成物。
［９］  ［１］〜［８］のいずれかに記載の樹脂組成物を含有してなる液状封止材。
［１０］  ［１］〜［８］のいずれかに記載の樹脂組成物を硬化して得られる硬化物。
【手続補正４】
【補正対象書類名】明細書
【補正対象項目名】００１８
【補正方法】変更
【補正の内容】
【００１８】
エポキシ基を有するビニル系重合体の製造において、エポキシ基を有するビニル系単量体を重合させる場合、重合開始剤、連鎖移動剤等を使用してもよい。その使用量はビニル系単量体の総量に対して、重合開始剤では、０．５〜２５重量％、連鎖移動剤では、０．１〜１０重量％であるのが好ましい。
重合開始剤の具体例としては、２，２’−アゾビスイソブチロニトリル、２，２’−アゾビス−２−メチルブチロニトリル、２，２’−アゾビス−２，４−ジメチルバレロニトリル、１，１’−アゾビス−１−シクロヘキサンカルボニトリル、ジメチル  ２，２’−アゾビスイソブチレート、４，４’−アゾビス−４−シアノ吉草酸、２，２’−アゾビス（２−アミジノプロペン）２塩基酸、２−ｔｅｒｔ−ブチルアゾ−２−シアノプロパン、２，２’−アゾビス（２−メチルプロピオンアミド）２水和物、２，２’−アゾビス（２，４，４−トリメチルペンタン）等のアゾ化合物、ｔｅｒｔ−ブチルパーオキシ  ネオデカノエート、ｔｅｒｔ−ブチルパーオキシ  ピバレート、ｔｅｒｔ−ブチルパーオキシ  ２−エチルヘキサノエート、ｔｅｒｔ−ブチルパーオキシ  イソブチレート、ｔｅｒｔ−ブチルパーオキシ  ラウレート、ｔｅｒｔ−ブチルパーオキシ  イソフタレート、ｔｅｒｔ−ブチルパーオキシ  アセテート、ｔｅｒｔ−ブチルパーオキシ  オクテート、ｔｅｒｔ−ブチルパーオキシ  ベンゾエート等のパーオキシエステル類、過酸化ベンゾイル等のジアシルパーオキシド類、キュメンハイドロパーオキサイド等のハイドロパーオキシド類、メチルエチルケトンパーオキサイド、カリウムパーサルフェイト、１，１−ビス（ｔｅｒｔ−ブチルパーオキシ）−３，３，５−トリメチルシクロヘキサン、ジアルキルパーオキシド類またはパーオキシジカーボネート類、過酸化水素等があげられる。
【手続補正５】
【補正対象書類名】明細書
【補正対象項目名】００２６
【補正方法】変更
【補正の内容】
【００２６】
アルキル置換グルタル酸無水物の好ましい具体例としては、２，４−ジアルキルグルタル酸無水物、３−アルキルグルタル酸無水物、２，３−ジアルキルグルタル酸無水物等があげられ、中でも、２，４−ジエチルグルタル酸無水物、２，４−ジメチルグルタル酸無水物、３−メチルグルタル酸無水物、または２−エチル−３−プロピルグルタル酸無水物がより好ましい。
【手続補正６】
【補正対象書類名】明細書
【補正対象項目名】００３７
【補正方法】変更
【補正の内容】
【００３７】
難燃剤としては、例えば、リン系、アンチモン系、ハロゲン系、アルミニウム系、マグネシウム系のもの等があげられ、具体的には、水酸化ジルコニウム、メタホウ酸バリウム、水酸化アルミニウム、水酸化マグネシウム、トリクレジルホスフェート、ジフェニルクレジルホスフェート、ジフェニルオクチルホスフェート、トリス（クロロエチル）ホスフェート、トリブチルホスフェート、トリス（ジブロモプロピル）ホスフェート、クロロアルキルホスフェート、アンモニウムポリホスフェート、クロロホスホネート、ブロモホスホネート、ジメチル・メチルホスホネート、トリフェニルホスフィン、四臭化エタン、塩素化パラフィン、塩素化ポリフェニル、三酸化アンチモン、五酸化アンチモン、ネオペンチルブロマイド−ポリエーテル、臭素化ポリエーテル等があげられる。
【手続補正７】
【補正対象書類名】明細書
【補正対象項目名】００３８
【補正方法】変更
【補正の内容】
【００３８】
紫外線吸収剤としては、例えば、フェニルサリシレート、ｐ−ｔｅｒｔ−ブチルフェニルサリシレート等のサリチル酸誘導体、２，４−ジヒドロキシベンゾフェノン、２−ヒドロキシ−４−メトキシベンゾフェノン、２，２’−ジヒドロキシ−４−メトキシベンゾフェノン、２，２’−ジヒドロキシ−４，４’−ジメトキシベンゾフェノン、２−ヒドロキシ−４−ｎ−オクチルオキシベンゾフェノン、２，２’，４，４’−テトラヒドロキシベンゾフェノン、４−ドデシロキシ−２−ヒドロキシベンゾフェノン、３，５−ジ−ｔｅｒｔ−ブチル−４−ヒドロキシベンゾイル酸ｎ−ヘキサデシルエステル、ビス（５−ベンゾイル−４−ヒドロキシ−２−メトキシフェニル）メタン、１，４−ビス（４−ベンゾイル−３−ヒドロキシフェノキシ）ブタン、１，６−ビス（４−ベンゾイル−３−ヒドロキシフェノキシ）ヘキサン等のベンゾフェノン系化合物、２−（２−ヒドロキシ−５−メチルフェニル）ベンゾトリアゾール、２−（２−ヒドロキシ−３，５−ジ−ｔｅｒｔ−ブチルフェニル）ベンゾトリアゾール、２−（２−ヒドロキシ−３−ｔｅｒｔ−ブチル−５−メチルフェニル）−５−クロロベンゾトリアゾール、２−（２−ヒドロキシ−３，５−ジ−ｔｅｒｔ−ブチルフェニル）−５−クロロベンゾトリアゾール、２−（２−ヒドロキシ−５−ｔｅｒｔ−オクチルフェニル）ベンゾトリアゾール、２−（２−ヒドロキシ−３，５−ジ−ｔｅｒｔ−アミルフェニル）ベンゾトリアゾール、２−〔２−ヒドロキシ−３−（３，４，５，６−テトラヒドロフタルイミドメチル）−５−メチルフェニル〕ベンゾトリアゾール、２，２’−メチレンビス〔４−（１，１，３，３−テトラメチルブチル）−６−（ベンゾトリアゾール−２−イル）フェノール〕、２−〔２−ヒドロキシ−３，５−ビス（α、α−ジメチルベンジル）フェニル〕ベンゾトリアゾール、２−（２−ヒドロキシ−４−オクチルオキシフェニル）ベンゾトリアゾール、２−（２Ｈ−ベンゾトリアゾール−２−イル）−４−メチル−６−（３，４，５，６−テトラヒドロフタルイミドメチル）フェノール等のベンゾトリアゾール系化合物等があげられる。